(57)【要約】【目的】  レーザー再生ホログラムをリップマンホログラムとして記録した場合に、容易に真贋判定を行うことができるリップマンホログラムの真贋判定方法及びリップマンホログラムの真贋判定装置を提供する。【構成】  記録時の波長λ１のレーザー光を第１再生照明光１６１として判定対象ホログラム２０に照射する記録時波長照射ステップと、記録時の波長以外の少なくとも一つ以上の波長λ２のレーザー光を第２再生照明光１６２として判定対象ホログラムに照射する記録時波長以外照射ステップとを有し、前記記録時波長照射ステップと前記記録時波長以外照射ステップとの再生結果から、真のリップマンホログラムであるか判定する判定ステップを有することを特徴とする。【選択図】図３
2009139676.tif 000002
【特許請求の範囲】
【請求項１】
記録時の波長のレーザー光を再生照明光として判定対象ホログラムに照射する記録時波長照射ステップと、記録時の波長以外の少なくとも一つ以上の波長のレーザー光を再生照明光として判定対象ホログラムに照射する記録時波長以外照射ステップとを有し、前記記録時波長照射ステップと前記記録時波長以外照射ステップとの再生結果から、真のリップマンホログラムであるか判定する判定ステップを有することを特徴とするリップマンホログラムの真贋判定方法。
【請求項２】
前記判定ステップは、記録時波長照射ステップで正しく再生でき、且つ、記録時波長以外照射ステップで正しく再生できない場合、真のリップマンホログラムであると判定することを特徴とする請求項１に記載のリップマンホログラムの真贋判定方法。
【請求項３】
前記判定ステップは、記録時波長照射ステップで正しく再生でき、且つ、記録時波長以外照射ステップで正しく再生できる場合、贋のレリーフホログラムであると判定することを特徴とする請求項１又は請求項２に記載のリップマンホログラムの真贋判定方法。
【請求項４】
前記判定ステップは、記録時波長照射ステップで正しく再生できない場合、贋のホログラム等であると判定することを特徴とする請求項１乃至請求項３のいずれかに記載のリップマンホログラムの真贋判定方法。
【請求項５】
前記再生照明光の記録時の波長以外の少なくとも一つ以上の波長は、前記真のリップマンホログラムの波長−透過率分布において、ピーク波長を中心に半値幅の倍より外の領域の波長であることを特徴とする請求項１乃至請求項４のいずれかに記載のリップマンホログラムの真贋判定方法。
【請求項６】
前記記録時の波長以外の少なくとも一つ以上の波長の再生照明光の入射角度は、前記記録時の波長の再生照明光の入射角度と異なることを特徴とする請求項１乃至請求項５のいずれかに記載のリップマンホログラムの真贋判定方法。
【請求項７】
記録時の波長のレーザー光を再生照明光として判定対象ホログラムに照射する記録時波長再生照明光照射手段と、記録時の波長以外の少なくとも一つ以上の波長のレーザー光を再生照明光として判定対象ホログラムに照射する記録時波長以外再生照明光照射手段と、前記記録時波長再生照明光照射手段又は前記記録時波長以外再生照明光照射手段が照射した少なくとも一つの再生照明光により、前記判定対象ホログラムから再生された再生像を再生する再生手段と、前記再生手段の再生結果から、真のリップマンホログラムであるか判定する判定手段を備えたことを特徴とするリップマンホログラムの真贋判定装置。
【発明の詳細な説明】
【技術分野】
【０００１】
本発明は、リップマンホログラムの真贋判定方法及びリップマンホログラムの真贋判定装置に係り、特にレーザー再生ホログラム（レーザー光などによる再生像のみが認識可能なフレネルホログラムやフーリエ変換ホログラムを意味する）をリップマンホログラムとして記録した場合のリップマンホログラムの真贋判定方法及びリップマンホログラムの真贋判定装置に関する。
【背景技術】
【０００２】
従来、キャッシュカード、クレジットカード、小切手カード等のカード類、金券類、身分証明書、重要書類等のような認証とともに偽造防止を必要とする物品に対して、従来から各種の偽造防止手段が図られている。例えば、クレジットカードにおいては、金属反射層を有するレリーフホログラムからなるレインボーホログラムが、目視によるカードの真贋判定のための認証構造としてカードの表面に設けられている。このようなホログラムの記録装置が特許文献１に開示されている。
【０００３】
しかしながら、白色光によって再生像が観察可能なレリーフホログラムの場合、偽造品と真正品の区別が容易でないという問題もあった。そこで、白色光下では物体像が認識困難であり、コヒーレンス性の高い光、例えば、レーザー光などによる再生像のみが認識可能なレーザー再生ホログラムを用いることが特許文献２にて提案されている。
【０００４】
【特許文献１】特公昭６０−３０９４８号公報
【特許文献２】特開２００５−１１５００６号公報
【特許文献３】特開平６−３０１３２２号公報
【発明の開示】
【発明が解決しようとする課題】
【０００５】
従来の方法において、レーザー再生ホログラムを用いた場合の真贋判定方法として、記録時の波長のレーザー光を記録時の角度にてホログラムに入射し、再生像を読み取る方法が提案されている。しかしながら、レーザー再生の技術が使用されていることが判明すれば、レリーフホログラムによる同様の偽造品を作製することは技術的に可能であり、偽造品の真贋判定を行うことは困難であった。
【０００６】
本発明は、従来技術のこのような問題点に鑑みてなされたものであり、その目的は、レーザー再生ホログラムを単一波長にてリップマンホログラムとして記録した場合に、容易に真贋判定を行うことができるリップマンホログラムの真贋判定方法及びリップマンホログラムの真贋判定装置を提供することである。
【課題を解決するための手段】
【０００７】
本発明は、上記課題を解決するリップマンホログラムの真贋判定方法であって、記録時の波長のレーザー光を再生照明光として判定対象ホログラムに照射する記録時波長照射ステップと、記録時の波長以外の少なくとも一つ以上の波長のレーザー光を再生照明光として判定対象ホログラムに照射する記録時波長以外照射ステップとを有し、前記記録時波長照射ステップと前記記録時波長以外照射ステップとの再生結果から、真のリップマンホログラムであるか判定する判定ステップを有することを特徴とする。
【０００８】
また、前記判定ステップは、記録時波長照射ステップで正しく再生でき、且つ、記録時波長以外照射ステップで正しく再生できない場合、真のリップマンホログラムであると判定することを特徴とする。
【０００９】
また、前記判定ステップは、記録時波長照射ステップで正しく再生でき、且つ、記録時波長以外照射ステップで正しく再生できる場合、贋のレリーフホログラムであると判定することを特徴とする。
【００１０】
また、前記判定ステップは、記録時波長照射ステップで正しく再生できない場合、贋のホログラム等であると判定することを特徴とする。
【００１１】
また、前記再生照明光の記録時の波長以外の少なくとも一つ以上の波長は、前記真のリップマンホログラムの波長−透過率分布において、ピーク波長を中心に半値幅の倍より外の領域の波長であることを特徴とする。
【００１２】
また、前記記録時の波長以外の少なくとも一つ以上の波長の再生照明光の入射角度は、前記記録時の波長の再生照明光の入射角度と同一であることを特徴とする。
【００１３】
さらに、本発明は、上記課題を解決するリップマンホログラムの真贋判定装置であって、記録時の波長のレーザー光を再生照明光として判定対象ホログラムに照射する記録時波長再生照明光照射手段と、記録時の波長以外の少なくとも一つ以上の波長のレーザー光を再生照明光として判定対象ホログラムに照射する記録時波長以外再生照明光照射手段と、前記記録時波長再生照明光照射手段又は前記記録時波長以外再生照明光照射手段が照射した少なくとも一つの再生照明光により、前記判定対象ホログラムから再生された再生像を再生する再生手段と、前記再生手段の再生結果から、真のリップマンホログラムであるか判定する判定手段を備えたことを特徴とする。
【発明の効果】
【００１４】
本発明のリップマンホログラムの真贋判定方法及びリップマンホログラムの真贋判定装置によれば、レーザー再生ホログラムをリップマンホログラムとして記録した場合に、容易に真贋判定を行うことができる。
【発明を実施するための最良の形態】
【００１５】
以下、実施例に基づいて、本発明に係るリップマンホログラムの真贋判定方法及びリップマンホログラムの真贋判定装置を説明する。
【００１６】
まず、本発明の前提であるリップマンホログラムによるレーザー再生ホログラムを作製する方法を簡単に説明する。図１は本発明に係るリップマンホログラムによるレーザー再生ホログラムを作製する方法を示す図である。
【００１７】
図１において、１はマスクパターン版、２はホログラム感材、２’はリップマンホログラム、３は片平凸レンズ、１１は物体照明光、１２は物体光、１３は参照光である。
【００１８】
マスクパターン版１は、ホログラムに記録する情報を有する物体に相当するものである。ホログラム感材２は、フォトポリマー等からなり、マスクパターン版１の後方に所定距離離して配置する。マスクパターン版１及びホログラム感材２の間には、ホログラム感材２側に凸面を向けた集光用の片平凸レンズ３が設置される。なお、集光用の片平凸レンズ３は配置しなくても良い。
【００１９】
次に、マスクパターン版１の背面より所定の波長λの物体照明光１１を照明する。物体照明光１１は、マスクパターン版１を透過し、物体光１２となり、片平凸レンズ３により集光され、ホログラム感材２に入射する。
【００２０】
一方、ホログラム感材２には、物体光１２の入射側と反対側から物体照明光１１と同一の光源からの同じ波長λの略平行光からなる参照光１３を入射させ、物体光１２と参照光１３を干渉させて、ホログラム感材２を後処理してホログラム２’を作製する。
【００２１】
このようなレーザー再生ホログラムを作製するのに、ホログラム感材２としては、緑色用として、特許文献３の実施例１のフォトポリマーを用いた。また、撮影に用いたレーザー及び波長は、ＤＰＳＳレーザーの５３２ｎｍである。
【００２２】
なお、本実施例では、上記のリップマンホログラムの作製方法を用いたが、これに限らず、異なる方法を用いてもよい。
【００２３】
次に、本発明に係るリップマンホログラム２’の再生方法を説明する。図２は、リップマンホログラムによるレーザー再生ホログラムを再生するための工程を説明するための図である。
【００２４】
図２において、１’はマスクパターン、２’はリップマンホログラム、６は光散乱性スクリーン、１６は再生照明光、１７は再生光である。
【００２５】
レーザー再生ホログラムを再生するためには、図１に示したリップマンホログラム２’の記録のときに用いた参照光１３の入射側と反対側から参照光１３と反対に進む同じ波長λの再生照明光１６を入射する。
【００２６】
すると、再生照明光１６はリップマンホログラム２’によって再生光１７に回折される。このとき、再生光１７の光路に再生手段としての光散乱性スクリーン６を配置すれば、マスクパターン版１と相似のマスクパターン１’を観察することができる。なお、リップマンホログラム２’と光散乱性スクリーン６の間には、リップマンホログラム２’側に凸面を向けた片平凸レンズ３を配置しても良い。
【００２７】
次に、本発明に係るリップマンホログラムの真贋判定方法を説明する。図３は、判定対象ホログラムによりパターンを観察できる場合を示す図、  図４は、判定対象ホログラムによりパターンを観察できない場合を示す図である。
【００２８】
また、判定対象ホログラム２０は、再生前の段階では、真のリップマンホログラム２’か、又は、贋のレリーフホログラム１０２’か、判定できない状態である。
【００２９】
まず、記録時波長照射ステップにおいて、記録時波長再生照明光照射手段は、記録時の波長λ１のレーザー光を第１再生照明光１６１として判定対象ホログラム２０に照射する。
【００３０】
また、記録時波長以外照射ステップにおいて、記録時波長以外再生照明光照射手段は、少なくとも一つ以上の記録時の波長λ１以外の波長λ２のレーザー光を第２再生照明光１６２として判定対象ホログラム２０に照射する。
【００３１】
次に、判定ステップにおいて、図示しない判定手段により、記録時波長照射ステップ及び記録時波長以外照射ステップのそれぞれの場合で、再生手段としての光散乱性スクリーン６においてマスクパターン１’が正しく観察できるか判定する。
【００３２】
なお、これら記録時波長照射ステップと記録時波長以外照射ステップは、順序を逆にしても、同時に実行してもよい。
【００３３】
そして、判定ステップの結果、記録時波長照射ステップで、図３に示すように、光散乱性スクリーン６においてマスクパターン１’が正しく観察でき、且つ、記録時波長以外照射ステップで、図４に示すように、光散乱性スクリーン６においてマスクパターン１’を観察できない場合、判定対象ホログラム２０は、真のリップマンホログラム２’であると判定する。
【００３４】
また、記録時波長照射ステップで、図３に示すように、光散乱性スクリーン６においてマスクパターン１’が正しく観察でき、且つ、記録時波長以外照射ステップで、図３に示すように、光散乱性スクリーン６においてマスクパターン１’を観察できる場合、判定対象ホログラム２０は、贋のレリーフホログラム１０２’であると判定する。
【００３５】
さらに、記録時波長照射ステップで、図４に示すように、光散乱性スクリーン６においてマスクパターン１’が正しく観察できない場合、判定対象ホログラム２０は、贋のホログラム２０２’等であると判定する。
【００３６】
実際に、５３２ｎｍで記録したレーザー再生ホログラムに、再生照明光として５３２ｎｍ以外に６３２ｎｍのレーザー光を同時に照射したところ、５３２ｎｍではパターンが正しく読めたが、６３２ｎｍではパターンが読めなかった。
【００３７】
一方、比較のためにレリーフホログラムのフーリエ変換ホログラムを５３２ｎｍ及び６３２ｎｍの２波長で再生したところ、どちらの波長においてもパターンを正しく読むことができた。
【００３８】
図５は、本実施例で作製したリップマンホログラムの波長−透過率分布を示すグラフである。図５に示すように、リップマンホログラム２’は、ある特定の波長付近で透過率が下がるものである。しかしながら、必ずしもある特定値の波長のみで透過率が下がるものではない。
【００３９】
したがって、特定値である記録時の波長λ１に対して、記録時の波長λ１以外の波長λ２は、作製したリップマンホログラム２’の波長−透過率分布において、ピーク波長を中心に半値幅の倍より外の領域Ａの波長が好ましい。
【００４０】
このように、記録時の波長λ１以外の波長λ２を設定することで、記録時の波長λ１の透過率と明確に区別がつき、マスクパターン１’の観察時にも明確に判定することができる。
【００４１】
また、本実施例で作製したリップマンホログラム２’では、再生照明光１６の入射角度を約±１０°ずらした際にもマスクパターン１’を観察することができた。
【００４２】
したがって、再生照明光１６をリップマンホログラム２’に照射する際、記録時波長再生照明光照射手段が照射する記録時の波長λ１の第１再生照明光１６１の入射角度と、記録時波長以外再生照明光照射手段が照射する記録時の波長λ１以外の波長λ２の第２再生照明光１６２の入射角度とを約±１０°以内の範囲で異ならせて照射してもよい。
【００４３】
このように、第１再生照明光１６１の入射角度と、記録時の波長λ１以外の波長λ２の第２再生照明光１６２の入射角度とを約±１０°以内の範囲で異ならせて照射してもよいので、記録時波長再生照明光照射手段と、記録時波長再生照明光照射手段とを設置する際に、精密な精度を要求されることがない。
【図面の簡単な説明】
【００４４】
【図１】本発明に係るリップマンホログラムの作製方法を示す図である。
【図２】本発明に係るリップマンホログラムの再生方法を示す図である。
【図３】判定対象ホログラムによりパターンを観察できる場合を示す図である。
【図４】判定対象ホログラムによりパターンを観察できない場合を示す図である。
【図５】本実施例で作製したリップマンホログラムの波長−透過率分布を示すグラフである。
【符号の説明】
【００４５】
１…マスクパターン版、１’…マスクパターン、２…ホログラム感材、２’…リップマンホログラム、３…片平凸レンズ、６…光散乱性スクリーン、１１…物体照明光、１２…物体光、１３…参照光、１６…再生照明光、１６１…第１再生照明光、１６２…第２再生照明光、１７…再生光、２０…判定対象ホログラム、１０２’…贋のレリーフホログラム、２０２’…贋のホログラム
【図１】
2009139676.tif 000003
【図２】
2009139676.tif 000004
【図３】
2009139676.tif 000005
【図４】
2009139676.tif 000006
【図５】
2009139676.tif 000007